(57)【要約】【課題】地震発生時に回転ガントリの転倒を確実に防止することができる粒子線治療装置を提供する。【解決手段】加速器で加速された粒子線を患者に照射する照射装置を搭載した回転自在な回転ガントリ１は、円筒状の胴体部１１の回転軸方向の両端に円環状の軸受リング１２、１３がそれぞれ設けられ、各軸受リング１２、１３の下部にはこれを回転支持するローラ２２、３２を有する支持装置２、３が配置されて建屋に固定され、かつ、各軸受リング１２、１３には、軸受リング１２、１３の外周の少なくとも上半分を囲うように耐震サポート６、７が建屋に固定された状態で設けられている。【選択図】図１
2018161219.tif 000002
【特許請求の範囲】
【請求項１】
加速器で加速された粒子線を患者に照射する照射装置を搭載した回転自在な回転ガントリを備え、上記回転ガントリは、円筒状の胴体部の回転軸方向の両端に円環状の軸受リングがそれぞれ設けられており、各々の上記軸受リングの下部には、当該軸受リングを回転支持する少なくとも２つのローラを有する支持装置が配置されて建屋に固定され、かつ、各々の上記軸受リングの少なくとも一方には、上記軸受リングの外周の少なくとも上半分を囲うように耐震サポートが建屋に固定された状態で設けられている粒子線治療装置。
【請求項２】
上記耐震サポートは、上記軸受リングの外周を囲う門型に形成されている請求項１に記載の粒子線治療装置。
【請求項３】
上記耐震サポートは、上記軸受リングの径方向外側において建屋の床面に対して鉛直方向に立設される左右一対の鉛直支柱と、上記軸受リングの外周よりも上側を通って左右一対の上記鉛直支柱の上部を連結する梁とからなる請求項２に記載の粒子線治療装置。
【請求項４】
上記耐震サポートには、上記建屋の床面に向けて末広がりとなるように鉛直支柱に対して傾斜した傾斜支柱が設けられている請求項３に記載の粒子線治療装置。
【請求項５】
上記傾斜支柱は、上記鉛直支柱と上記梁との間を連結する上側傾斜支柱を備え、上記鉛直支柱、上記梁、および上記上側傾斜支柱で直角三角形を形成する請求項４に記載の粒子線治療装置。
【請求項６】
上記上側傾斜支柱には、上記軸受リングとの隙間が最小となる対向箇所に、上記軸受リングが上側傾斜支柱に衝突する力を緩和するための緩衝具が設けられている請求項５に記載の粒子線治療装置。
【請求項７】
上記傾斜支柱は、上記鉛直支柱の中間部と建屋の床面、または上記床面に対して水平に取り付けられた水平支柱との間を連結する下側傾斜支柱を備え、上記鉛直支柱、上記下側傾斜支柱、および上記建屋の床面または上記水平支柱で直角三角形を形成する請求項４から請求項６のいずれか１項に記載の粒子線治療装置。
【請求項８】
上記鉛直支柱は、上下の部分を組み合わせて構成されている請求項３から請求項７のいずれか１項に記載の粒子線治療装置。
【請求項９】
上記耐震サポートの上部には、上記回転ガントリに搭載された機器類のメンテナンスのために使用されるデッキが設けられている請求項１から請求項８のいずれか１項に記載の粒子線治療装置。
【発明の詳細な説明】
【技術分野】
【０００１】
この発明は、粒子線治療装置に係り、特には回転ガントリの耐震補強構造に関するものである。
【背景技術】
【０００２】
粒子線治療装置は、陽子や炭素イオンなどのイオンビームを患部に照射してがんを治療する装置であり、イオンビームを患部に適切な方向から照射するための回転照射装置である回転ガントリを備えている。この回転ガントリには、患部にイオンビームを照射するための照射装置と、加速器により加速された粒子線を照射装置まで輸送するためのビーム経路とが搭載されている。
【０００３】
例えば、下記の特許文献１、２に示されるように、回転ガントリは、回転ガントリ胴体部（ガントリフレーム）と、その外周に取り付けられた入射側軸受リング（リアリング）および照射側軸受リング（フロントリング）で構成される。入射側軸受リングおよび照射側軸受リングのそれぞれの下にローラ（サポートロール）が設けられており、各ローラは、回転ガントリの重量を支持するとともに、ガントリ駆動モータと連結されて回転ガントリの回転駆動を担っている。
【０００４】
また、特許文献２の粒子線治療装置では、巨大な回転体である回転ガントリを地震発生時に、確実に停止させることを目的としており、地震発生時に回転ガントリが転倒しようとするのを防止することは目的としていない。
【０００５】
一方、患者の利便性の観点から、近年は粒子線治療装置の都市部への据付の要求が高まっている。この場合、都市部では広大な土地の確保が難しいので、狭隘な土地でも建設可能な粒子線治療装置の開発が要請されている。その対策として、例えば加速器を建屋の地階に設置し、回転ガントリを建屋の中間階に設置するといった、粒子線治療装置の立体化が進められている。
【０００６】
ここで、２階などの中間階に回転ガントリを設置する場合には、地震による揺れが増幅される。その場合、非特許文献１で定められている耐震クラスＢでは、以下の揺れに対して回転ガントリが転倒しないことが求められている。
・１階設置基準：水平加速度０．４Ｇ、垂直加速度０．２Ｇ
・中間階設置基準：水平加速度０．６Ｇ、垂直加速度０．３Ｇ
【０００７】
このように、１階設置基準よりも中間階設置基準の揺れの加速度が増加しており、したがって、中間階設置の回転ガントリには、高い耐震設計が必要となる。
【先行技術文献】
【特許文献】
【０００８】
【特許文献１】特許第３５１９２４８号公報
【特許文献２】特許第５５１１９０４号公報
【非特許文献】
【０００９】
【非特許文献１】建築設備耐震設計・施工指針
【発明の概要】
【発明が解決しようとする課題】
【００１０】
上記のように、粒子線治療装置の回転ガントリは、イオンビームを患部に適切な方向から照射する必要があるので、支持装置であるローラの上に搭載されて回転可能に構成されている。そのため、回転ガントリを建屋に一体固定することができない。したがって、大地震発生時には、回転ガントリがローラから脱輪して転倒するなどの可能性がある。
【００１１】
上記の特許文献１記載の従来構成のものでは、地震発生時の対策が何ら講じられていないので、建屋の中間階に回転ガントリを設置した場合、上述のように回転ガントリがローラから脱輪して転倒する可能性がある。
【００１２】
また、上記の特許文献２記載の従来構成のものでは、地震発生時に回転ガントリの運転動作を停止させることはできるものの、地震発生に応じて回転ガントリを物理的に固縛する構成ではないので、特許文献１と同様に、回転ガントリがローラから脱輪して転倒するのを防止することが難しい。
【００１３】
この発明は、上記のような問題点を解決するためになされたものであり、地震発生時に回転ガントリの転倒を確実に防止することができる粒子線治療装置を提供することを目的とする。
【課題を解決するための手段】
【００１４】
この発明による粒子線治療装置は、加速器で加速された粒子線を患者に照射する照射装置を搭載した回転自在な回転ガントリを備え、上記回転ガントリは、円筒状の胴体部の回転軸方向の両端に円環状の軸受リングがそれぞれ設けられており、各々の上記軸受リングの下部には、当該軸受リングを回転支持する少なくとも２つのローラを有する支持装置が配置されて建屋に固定され、かつ、各々の上記軸受リングの少なくとも一方には、上記軸受リングの外周の少なくとも上半分を囲うように耐震サポートが建屋に固定された状態で設けられている。
【発明の効果】
【００１５】
この発明の粒子線治療装置によれば、地震発生時に耐震サポートが回転ガントリの過剰な振動を抑制するので、回転ガントリが転倒するといった不具合発生を確実に防止することができる。
【図面の簡単な説明】
【００１６】
【図１】この発明の実施の形態１による粒子線治療装置の回転ガントリを含む主要部を示す斜視図である。
【図２】この発明の実施の形態１の回転ガントリを粒子線の入射側から見た正面図である。
【図３】この発明の実施の形態１の回転ガントリを粒子線の照射側から見た正面図である。
【図４】この発明の実施の形態２による粒子線治療装置の回転ガントリを含む主要部を示す斜視図である。
【図５】この発明の実施の形態２の回転ガントリを粒子線の入射側から見た正面図である。
【図６】この発明の実施の形態２の回転ガントリを粒子線の照射側から見た正面図である。
【図７】この発明の実施の形態２において耐震サポートに取り付けられた緩衝具を取り付けた状態を示す詳細図である。
【図８】この発明の実施の形態３による粒子線治療装置の回転ガントリを含む主要部を示す斜視図である。
【発明を実施するための形態】
【００１７】
実施の形態１．
図１はこの発明の実施の形態１による粒子線治療装置の回転ガントリを含む主要部を示す斜視図、図２は実施の形態１の回転ガントリを粒子線の入射側から見た正面図、図３は実施の形態１の回転ガントリを粒子線の照射側から見た正面図である。
【００１８】
この実施の形態１における粒子線治療装置は、回転ガントリ１を備える。この回転ガントリ１は、円筒状の胴体部１１、この胴体部１１の回転軸方向の両端に設けられた円環状の軸受リング１２および１３、一方の軸受リング１２側に位置する円筒状のケーブルスプール１４、および胴体部１１とケーブルスプール１４とを連結固定する中空コーン状のスプールコーン１５で構成されている。
【００１９】
なお、ここでは加速器で加速された粒子線が入射されるケーブルスプール１４側を入射側、患者に粒子線を照射する治療台４の設置側を照射側と称する。
【００２０】
回転ガントリ１の胴体部１１の内部に突き出した建屋の床面Ｆ２には治療台４が固定され、治療台４の周りを胴体部１１が回転することができる。回転ガントリ１には、粒子線を輸送する輸送装置（電磁石）、粒子線を患部に照射する照射装置などが搭載されており（いずれも図示省略）、治療台４に乗せられる患者の患部に適切な角度から粒子線を照射してがんの治療を行う。
【００２１】
また、ケーブルスプール１４の外側には、回転ガントリ１に搭載された機器類に電源供給や制御するためのケーブル類、ならびに、冷却水やエア・ガスなどを供給するホース類（いずれも図示省略）が設けられて地上側と連結されており、胴体部１１の回転に応じてケーブルスプール１４の外周にケーブル類等やホース類の巻き取りと送り出しとを行う。このケーブルスプール１４によって、回転ガントリ１が回転しても、回転ガントリ１内に搭載された機器類と地上側とを繋ぐことができ、機器類を正常に動作させることができる。
【００２２】
胴体部１１の軸方向の入射側と照射側の端部にそれぞれ設けられた軸受リング１２および１３は、胴体部１１の外周に一体連結されており、これらの軸受リング１２および１３は、例えば鍛造熱処理を施したクロムモリブデン鋼等の高強度な材料が好適に使用される。
【００２３】
入射側および照射側の軸受リング１２および１３のそれぞれ下側の建屋の床面Ｆ１には、支持装置２および３が設置されて回転ガントリ１の重量を支持している。この場合、支持装置２および３は、回転ガントリ１よりも下側の床面Ｆ１に設置されるため、この床面Ｆ１は治療台４が設置される床面Ｆ２よりも段差Ｌ０分だけ低い位置にある。
【００２４】
ここに、入射側の支持装置２は、建屋の床面Ｆ１に固定されたベース２１とこのベース２１に固定される２つ以上のローラ２２とで構成され、それらのローラ２２の上に軸受リング１２が搭載されている。同様に、照射側の支持装置３は、建屋の床面Ｆ１に固定されたベース３１とこのベース３１に固定される２つ以上のローラ３２とで構成され、それらのローラ３２の上に軸受リング１３が搭載されている。
【００２５】
そして、入射側と照射側の各ローラ２２、３２の少なくとも一方側には、モータなどの動力源とブレーキ（いずれも図示省略）が連結されていて、回転ガントリ１を駆動および停止させることができる。
【００２６】
また、モータ設置側の軸受リング１２（または１３）には、スラスト軸受（図示せず）が設けられており、このスラスト軸受によって回転ガントリ１の回転に伴って回転ガントリ１自身が軸方向に位置ずれするのを防止している。
【００２７】
さらに、この実施の形態１の特徴として、入射側の軸受リング１２に対して、当該軸受リング１２の外周を囲うように、門型の耐震サポート６が設置されている。この耐震サポート６は、軸受リング１２の径方向外側の左右から建屋の床面Ｆ１に対して鉛直方向にそれぞれ立設された一対の直線状の鉛直支柱６１と、軸受リング１２の外周よりも上側を通って一対の鉛直支柱６１の上部間を連結する梁６２とで構成されている。そして、各鉛直支柱６１の下端部は建屋の床面Ｆ１に固定されたベースプレート６４にボルト締めなどによって一体化されている。また、梁６２はその両端が左右の鉛直支柱６１の上端に溶接などによって一体固定されている。なお、上記の鉛直支柱６１や梁６２は，例えばＨ型鋼などが好適に使用される。
【００２８】
同様に、照射側の軸受リング１３に対して、当該軸受リング１３の外周を囲うように、門型の耐震サポート７が設置されている。この耐震サポート７は、軸受リング１３の径方向外側の左右から建屋の床面Ｆ２に対して鉛直方向にそれぞれ立設された一対の直線状の鉛直支柱７１と、軸受リング１３の外周よりも上側を通って一対の鉛直支柱７１の上部間を連結する梁７２とで構成されている。そして、各鉛直支柱７１の下端部は建屋の床面Ｆ２に固定されたベースプレート７４にボルト締めなどによって一体化されている。また、梁７２はその両端が左右の鉛直支柱７１の上端に溶接などによって一体固定されている。なお、上記の鉛直支柱７１や梁７２は，例えばＨ型鋼などが好適に使用される。
【００２９】
入射側と照射側にそれぞれ耐震サポート６、７を設ける場合、支持装置２、３が設置される床面Ｆ１と治療台４が設置される床面Ｆ２とでは段差Ｌ０があるので、入射側の軸受リング１２の近傍に設置される耐震サポート６の鉛直支柱６１の長さよりも、照射側の軸受リング１３の近傍に設置される耐震サポート７の鉛直支柱７１の長さは、段差Ｌ０分だけ短くなるように設定されている。
【００３０】
このように、この実施の形態１では、軸受リング１２、１３に対してそれぞれ個別に門型の耐震サポート６、７を設置しているので、地震発生時に水平加速力や垂直加速力が回転ガントリ１に加わっても、軸受リング１２、１３が耐震サポート６、７にそれぞれ衝突して過剰な動きが抑制される。このため、回転ガントリ１の入射側と照射側の各軸受リング１２、１３が支持装置２、３のローラ２２、３２から脱輪して回転ガントリ１が転倒するといった不具合発生を確実に防止することができる。
【００３１】
実施の形態２．
図４はこの発明の実施の形態２による粒子線治療装置の回転ガントリを含む主要部を示す斜視図、図５は実施の形態２の回転ガントリを粒子線の入射側から見た正面図、図６は実施の形態２の回転ガントリを粒子線の照射側から見た正面図である。図４から図６において、図１から図３に示した実施の形態１と対応もしくは相当する構成部分には同一の符号を付す。
【００３２】
この実施の形態２についても、実施の形態１の場合と同様、入射側の軸受リング１２に対して、当該軸受リング１２の外周を囲うように、門型の耐震サポート６が設置されている。この耐震サポート６は、軸受リング１２の径方向外側の左右から建屋の床面Ｆ１に対して鉛直方向にそれぞれ立設された一対の直線状の鉛直支柱６１と、軸受リング１２の外周よりも上側を通って一対の鉛直支柱６１の上部間を連結する梁６２とで構成されている。
【００３３】
そして、各鉛直支柱６１は、上側鉛直支柱６１ａと下側鉛直支柱６１ｂとの２つの部材からなり、上側および下側鉛直支柱６１ａ、６１ｂの突き合わせ端部がボルト締めなどにより一体化されるとともに、下側鉛直支柱６１ｂの下端部は建屋の床面Ｆ１に固定されたベースプレート６４にボルト締めなどにより一体化されている。
【００３４】
また、この耐震サポート６には、上側鉛直支柱６１ａと梁６２の間を互いに連結する直線状の上側傾斜支柱６３ａが溶接などにより一体的に設けられている。これにより、上側鉛直支柱６１ａ、梁６２、および上側傾斜支柱６３ａによって直角三角形に形成されている。
【００３５】
さらに、下側鉛直支柱６１ｂの中間部には、回転ガントリ１から離れるように下側鉛直支柱６１ｂから外側に向けて建屋の床面Ｆ２に沿って水平に張り出した水平支柱６５が溶接などにより一体的に固定されている。そして、水平支柱６５の張り出し端部と下側鉛直支柱６１ｂの上端部とを互いに連結する直線状の下側傾斜支柱６３ｂが溶接などにより一体的に設けられている。これにより、下側鉛直支柱６１ｂ、水平支柱６５、および下側傾斜支柱６３ｂによって直角三角形に形成されている。さらに、上記の水平支柱６５は、建屋の床面Ｆ２に固定されたベースプレート６６に固定金具６７を介してボルト締めなどにより固定されている。
なお、上記の上側鉛直支柱６１ａ、下側鉛直支柱６１ｂ、上側傾斜支柱６３ａ、下側傾斜支柱６３ｂ、水平支柱６５は、例えばＨ型鋼などが好適に使用される。
【００３６】
このように、入射側の軸受リング１２に対して設けられた門型の耐震サポート６は、上側傾斜支柱６３ａ、水平支柱６５、下側傾斜支柱６３ｂを用いることで補強されるので、実施の形態１の場合よりも高強度な入射側の耐震サポート６が実現できる。
【００３７】
一方、照射側の軸受リング１３に対しては、当該軸受リング１３の外周を囲うように、門型の耐震サポート７が設置されている。この耐震サポート７は、軸受リング１３の径方向外側の左右から建屋の床面Ｆ２に対して鉛直方向にそれぞれ立設された一対の直線状の鉛直支柱７１と、軸受リング１３の外周よりも上側を通って一対の鉛直支柱７１の上部間を連結する梁７２とで構成されている。
【００３８】
そして、各鉛直支柱７１は、上側鉛直支柱７１ａと下側鉛直支柱７１ｂとの２つの部材からなり、上側および下側鉛直支柱７１ａ、７１ｂの突き合わせ端部がボルト締めなどにより一体化されている。そして、下側鉛直支柱７１ｂの下端部は建屋の床面Ｆ２に固定されたベースプレート７４にボルト締めなどによって一体化されている。
【００３９】
また、この耐震サポート７には、上側鉛直支柱７１ａと梁７２の間を互いに連結する直線状の上側傾斜支柱７３ａが溶接などにより一体的に設けられている。これにより、上側鉛直支柱７１ａ、梁７２、および上側傾斜支柱７３ａによって直角三角形に形成されている。
【００４０】
また、上記のベースプレート７４は、回転ガントリ１から離れるように下側鉛直支柱７１ｂから外側に向けて建屋の床面Ｆ２に沿って水平に張り出して設けられている。そして、このベースプレート７４の張り出し端部と下側鉛直支柱７１ｂの上端部とを互いに連結する直線状の下側傾斜支柱７３ｂが溶接などにより一体的に設けられている。これにより、下側鉛直支柱７１ｂ、ベースプレート７４、および下側傾斜支柱７３ｂによって直角三角形に形成されている。
なお、上側鉛直支柱７１ａ、下側鉛直支柱７１ｂ、上側傾斜支柱７３ａ、下側傾斜支柱７３ｂは、例えばＨ型鋼などが好適に使用される。
【００４１】
このように、照射側の軸受リング１３に対して設けられた門型の耐震サポート７は、上側傾斜支柱７３ａ、および下側傾斜支柱７３ｂを用いることで補強されるので、実施の形態１の場合よりも高強度な照射側の耐震サポートが実現できる。
【００４２】
また、この実施の形態２では、入射側と照射側の各耐震サポート６、７の鉛直支柱６１、７１は、それぞれ上側鉛直支柱６１ａ、７１ａと下側鉛直支柱６１ｂ、７１ｂとの２つの部材を組み合わせて、両者を一体接合した構成となっている。これにより、各耐震サポート６、７を建屋に設置して組み立てるまでの段階で、上側鉛直支柱６１ａ、７１ａと下側鉛直支柱６１ｂ、７１ｂの各部材を個別にトラック輸送できるので、輸送時に大型トレーラを使用する必要がなくなり、輸送費を抑制することができる。
【００４３】
さらに、この実施の形態２では、入射側と照射側の各耐震サポート６、７の各上側傾斜支柱６３ａ、７３ａには、軸受リング１２、１３との隙間が最小となる対向箇所に、軸受リング１２、１３が上側傾斜支柱６３ａ、７３ａに衝突する力を緩和するための緩衝具８、９がボルトで締結するなどして固定されている。
【００４４】
この緩衝具８、９は、いずれも同じ構成であるので、例えば入射側の耐震サポート６の上側傾斜支柱６３ａに設けた緩衝具８に着目して説明する。図７に示すように、この緩衝具８は、軸受リング１２との対向面にプレート８１を配置し、プレート８１と上側傾斜支柱６３ａとの間にライナ８２を介在させて構成されている。したがって、建屋の精度や、回転ガントリ１や耐震サポート６の設置精度などが悪くても、ライナ８２の厚みや枚数を変更することで、プレート８１と軸受リング１２との隙間を調整することができ、プレート８１と軸受リング１２との隙間を例えば１０ｍｍ以下に設定することが可能となる。
【００４５】
このように、緩衝具８のライナ８２の厚みや枚数を調整してプレート８１と軸受リング１２の隙間を小さくすることで、地震発生時に、軸受リング１２がローラ２２を乗り越えて脱輪しそうになった場合でも、その前に軸受リング１２が緩衝具８のプレート８１に衝突してその動きが規制されるので、回転ガントリ１の転倒を確実に防止することができる。
【００４６】
しかも、緩衝具８と軸受リング１２との隙間を小さくすることで、地震発生時に回転ガントリ１の移動距離が短くなるので、回転ガントリ１が耐震サポート６に衝突する際に発生する衝撃エネルギを小さくする効果もある。
【００４７】
また、緩衝具８を構成するプレート８１やライナ８２の材料として、軸受リング１２の材料よりも硬度の低い材料（例えば鉄、アルミ等）を選択することで、地震発生時に軸受リング１２が緩衝具８に衝突しても、緩衝具８が損傷するだけであり、軸受リング１２の損傷を避けることができる。地震後には、緩衝具８のプレート８１やライナ８２を交換するだけで復旧が可能となる。
【００４８】
なお、ここでは入射側の耐震サポート６の上側傾斜支柱６３ａに設けた緩衝具８に着目して説明したが、照射側の耐震サポート７の上側傾斜支柱７３ａに設けた緩衝具９についても同様の作用効果を期待することができる。
【００４９】
この実施の形態２において、入射側と照射側の各耐震サポート６、７については、上側傾斜支柱６３ａ、７３ａと下側傾斜支柱６３ｂ、７３ｂの双方を設けることが高強度を維持する上で好ましいが、上側傾斜支柱６３ａ、７３ａと下側傾斜支柱６３ｂ、７３ｂのいずれか一方を省略することも可能である。また、ここでは、上側傾斜支柱６３ａ、７３ａと下側傾斜支柱６３ｂ、７３ｂとを別個の部材を使用して構成しているが、建屋の床面Ｆ１、Ｆ２に向けて末広がりとなるように鉛直支柱６１、７１に対して傾斜した単一の傾斜支柱で構成することも可能である。
【００５０】
また、この実施の形態２において、入射側と照射側の各耐震サポート６、７の鉛直支柱６１、７１の長さの関係や、梁６２、７２の長さの関係は実施の形態１の場合と同様であり、ここでは詳しい説明は省略する。また、その他の構成および作用、効果については、図１から図３に示した実施の形態１の場合と基本的に同様であるから、ここでは詳しい説明は省略する。
【００５１】
実施の形態３．
図８はこの発明の実施の形態３による粒子線治療装置の回転ガントリを含む主要部を示す斜視図であり、図４から図６に示した実施の形態２と対応もしくは相当する構成部分には同一の符号を付す。
【００５２】
実施の形態１、もしくは、実施の形態２の入射側と照射側の耐震サポート６、７を支柱として流用し、その上部に、回転ガントリ１に搭載された機器類をメンテナンスするためのメンテナンス用デッキ５を設置することができる。
【００５３】
これにより、入射側と照射側の耐震サポート６、７とは別に建屋の床面Ｆ１、Ｆ２に支柱を立ててメンテナンス用デッキ５を別個に据付ける必要がなくなるので、低コストと省スペースを実現することができる。
【００５４】
なお、この発明は、上記の実施の形態１〜３の構成のみに限定されるものではなく、この発明の趣旨を逸脱しない範囲内において、各実施の形態の構成の一部を変更したり、その構成を省略することができ、また、各実施の形態１〜３の構成を組み合わせることが可能である。
【００５５】
例えば、上記の実施の形態１〜３において、各耐震サポート６、７は左右一対の鉛直支柱６１、７１と梁６２、７２とかなる門型の形状としているが、このような門型の形状に限定されるものではなく、床面Ｆ１、Ｆ２に対して末広がりとなる台形状のものであってもよく、また、梁６２、７２は直線状のものに限らず、軸受リング１２、１３の外周に沿った円弧状のものであってもよい。
【００５６】
また、上記の実施の形態１〜３において、入射側の耐震サポート６に設けられている鉛直支柱６１と照射側の耐震サポート７に設けられる鉛直支柱７１とは床面Ｆ１、Ｆ２の高さに応じてその長さを異ならせているが、両床面Ｆ１、Ｆ２が同じ平面上であれば、鉛直支柱６１、７１は同じ長さのものであってもよい。
【符号の説明】
【００５７】
１  回転ガントリ、１１  胴体部、１２  入射側の軸受リング、
１３  照射側の軸受リング、１４  ケーブルスプール、１５  スプールコーン、
２  入射側の支持装置、２２  ローラ、３  照射側の支持装置、３２  ローラ、
４  治療台、５  メンテナンス用デッキ、６  入射側の耐震サポート、６１  鉛直支柱、６１ａ  上側鉛直支柱、６１ｂ  下側鉛直支柱、６２  梁、６３ａ  上側傾斜支柱、
６３ｂ  下側傾斜支柱、６５  水平支柱、７  照射側の耐震サポート、７１  鉛直支柱、７１ａ  上側鉛直支柱、７１ｂ  下側鉛直支柱、７２  梁、７３ａ  上側傾斜支柱、
７３ｂ  下側傾斜支柱、８  緩衝具、８１  プレート、８２  ライナ、９  緩衝具、
Ｆ１，Ｆ２  建屋の床面。
【図１】
2018161219.tif 000003
【図２】
2018161219.tif 000004
【図３】
2018161219.tif 000005
【図４】
2018161219.tif 000006
【図５】
2018161219.tif 000007
【図６】
2018161219.tif 000008
【図７】
2018161219.tif 000009
【図８】
2018161219.tif 000010